(57)【特許請求の範囲】
【請求項１】
小屋裏へ連通する貫通口を形成した野地板と、該野地板上に葺かれる屋根葺材との隙間に配置する換気用偏平ダクトであって、前記貫通口に接続する一方の通風口を所定間隔毎に複数の突起を形成した底面部材の棟側に形成し、該一方の通風口よりも軒先側に他方の通風口を形成したことを特徴とする換気用偏平ダクト。
【請求項２】
前記他方の通風口が軒先側へ開放し、且つ、前記他方の通風口の奥方に、前記野地板が傾斜する方向へ延びる複数枚の整流羽根を前記野地板の桁行方向に所定間隔を開けて並列した請求項１記載の換気用偏平ダクト。
【請求項３】
前記他方の通風口が前記野地板の桁行方向へ開放し、且つ、前記他方の通風口の奥方に、前記野地板の桁行方向へ延びる複数枚の整流羽根を前記野地板が傾斜する方向に所定間隔を開けて並列した請求項１記載の換気用偏平ダクト。
【発明の詳細な説明】
【０００１】
【発明の属する技術分野】
この発明は、住宅等の建築物の屋根の換気用偏平ダクトに関する。
【０００２】
【従来の技術】
従来、小屋組に支持された野地板上に、平瓦等からなる屋根葺材を葺いてなる瓦葺屋根において、小屋裏の換気を促進するために棟部に小屋裏へ連通する通風口を形成する一方、前記通風口の真上を雁振瓦や棟包み等で覆うことによって小屋裏への雨水の浸入を防止するようにした換気構造が周知である。
【０００３】
【発明が解決しようとする課題】
しかしながら、上記例示の屋根の換気構造は、小屋裏の棟付近の空気を屋外へ排出するには有効であるが、軒先付近に湿気を帯びた空気が滞留し易いという欠点がある。
【０００４】
そこで、小屋裏の軒先側に滞留する空気を積極的に屋外へ排出できるように、前記野地板の軒先寄りの適所に小屋裏へ連通する貫通口を１乃至複数箇所に形成し、これらの貫通口を経て換気を行うことが提案されているが、地震や台風等の影響で屋根葺材が破損したり或いは野地板から脱落した場合に、前記貫通口から雨水が小屋裏へ容易に流入するという問題が起こる。
【０００５】
この発明の目的は、上記問題に鑑みてなされたものであり、小屋裏へ雨水が浸入する恐れが常になく、小屋裏全体の通気性を向上できる屋根の換気用偏平ダクトを提供するものである。
【０００６】
【課題を解決するための手段】
請求項１記載の換気用偏平ダクトは、小屋裏へ連通する貫通口を形成した野地板と、該野地板上に葺かれる屋根葺材との隙間に配置する換気用偏平ダクトであって、前記貫通口に接続する一方の通風口を所定間隔毎に複数の突起を形成した底面部材の棟側に形成し、該一方の通風口よりも軒先側に他方の通風口を形成したことを特徴とするものである。
【０００７】
請求項２記載の換気用偏平ダクトは、前記他方の通風口が軒先側へ開放し、且つ、前記他方の通風口の奥方に、前記野地板が傾斜する方向へ延びる複数枚の整流羽根を前記野地板の桁行方向に所定間隔を開けて並列したものである。
【０００８】
請求項３記載の換気用偏平ダクトは、前記他方の通風口が前記野地板の桁行方向へ開放し、且つ、前記他方の通風口の奥方に、前記野地板の桁行方向へ延びる複数枚の整流羽根を前記野地板が傾斜する方向に所定間隔を開けて並列したものである。
【０００９】
【発明の実施の形態】
この発明の実施の形態に係る換気用偏平ダクト７は、図１及び図２に示すように、野地板１に小屋裏２へ連通する貫通口３を形成し、前記野地板１と平瓦等からなる複数枚の屋根葺材４との隙間に設置されるものであって、前記貫通口３に直通する一方の通風口１３と該一方の通風口１３よりも軒先側に位置する他方の通風口５，６とを各々形成したものである。
【００１０】
前記野地板１は、切妻屋根等の小屋組を構成する垂木８に所定の傾斜角度で支持された平板材であり、その上面には、角材等からなる複数の瓦桟９が固定されている。これら複数の瓦桟９は、野地板１が傾斜する方向（以下、傾斜方向ｘ）に等間隔毎に木ねじ１０等で固定され、更に、この瓦桟９の上方に屋根葺材４が長寸の木ねじ１１等で固定されている。前記貫通口３は、相隣接する２つの瓦桟９の間の棟側寄りの野地板１に、桁行方向ｙへ延びる平面視長方形の長穴を形成したものであるが、開口寸法や形状等については限定されるものでない。
【００１１】
また、図３に示すように、野地板１の上面にアスファルトルーフィング等の防水シート１２を敷設するには、防水シート１２の貫通口３に対応する部分の一部を切り欠いて、棟側から軒先側へ向かって流下する雨水が野地板１と換気用偏平ダクト７との間に浸入しないように、その切り欠いた下端縁１２ａを換気用偏平ダクト７上に重合するのが好ましい。
【００１２】
前記換気用偏平ダクト７は、図２乃至図４に示すように、野地板１の上面に沿って木ねじ又は釘等で固定される底面部材１４と、該底面部材１４の上面に溶接等により接合された上側部材１５とからなる。前記底面部材１４は、野地板１の貫通口３に対応する位置、即ち、設置時に底面部材１４の棟側に位置する箇所に一方の通風口１３を開口すると共に、該一方の通風口１３を野地板１の貫通口３に容易に位置決めできるように貫通口３へ没入する一対のリップ片１３ａを一方の通風路１３の縁部から垂下している。
【００１３】
前記上側部材１５は、底面部材１４の上方の空間を包容して一方の通風口１３に連通する空間を確保するものであり、その軒先側の端面に他方の通風口５を形成すると共に、両側の端面に桁行方向ｙへ開放する他方の通風口６を形成したもので、下面の開口部分を前記底面部材１４に固定している。上側部材１５の外形は、角部を有する直方体でもよいが、一方の通風口１３を経て上昇する空気が渦巻くのを防止するために、上側部材１５の一方の通風口１３の真上付近に対応する部分を、野地板１へ接近するするような形状の曲面又は傾斜面１５ａとしてもよい。
【００１４】
また、前記他方の通風口５の奥方には、傾斜方向ｘに延びる複数枚の整流羽根１６としての、桁行方向ｙに所定間隔を開けて並列してなる一のルーバ１７が取り付けられている。前記他方の通風口６の奥方には、桁行方向ｙに延びる複数枚の整流羽根１８としての、傾斜方向ｘに所定間隔を開けて並列してなる他のルーバ１９が取り付けられている。
【００１５】
前記一のルーバ１７は、図５によく表れているように、桁行方向ｙへ延びる帯状の薄肉鋼板を等間隔毎に上下方向へ交互に折り返すことにより、上側部材１５に接合する頂部１７ａと底面部材１４に接合する谷部１７ｂとを各々形成し、これら頂部１７ａと谷部１７ｂとの間を前記整流羽根１６とした波板である。前記他のルーバ１９は、一のルーバ１７と同様の波板を底面部材１４及び上側部材１５のそれぞれの側縁に沿った姿勢としたものでもよいが、雨水等の他方の通風口６への浸入を阻止するために、図４によく表れているように、各整流羽根１８が他方の通風口６の奥方へ向かって上昇傾斜したものであることが好ましい。
【００１６】
以上に述べた屋根の換気構造によると、図２R>２及び図４に仮想線で表すように、小屋裏２の空気を野地板１の貫通口３を経て、一方の通風口１３から底面部材１４と上側部材１５によって囲まれた空間内部を通過して他方の通風口５，６から、野地板１と屋根葺材４の間の隙間へ排出でき、更に図１の仮想線で表すように屋根葺材４の間の隙間を経て屋外へ排出できる。しかも、他方の通風口５，６はそれぞれ貫通口３よりも下方側である軒先側に位置するため、屋根葺材４が破損したり或いは野地板１から脱落しても、これら他方の通風口５，６から換気用偏平ダクト７の内部に浸入した雨水が貫通口３から小屋裏２へ流入することがない。
【００１７】
また、換気用偏平ダクト７は、底面部材１４と上側部材１５との間に介在した一のルーバ１７及び他のルーバ１９が、底面部材１４と上側部材１５との隙間を確保するためのスペーサの役割を果たしているため、屋根の葺き替え作業を行うに際して、作業員が誤って踏む等しても容易に潰れることがない。
【００１８】
尚、一のルーバ１７又は他のルーバ１９を省略してもよい。この場合、底面部材１４と上側部材１５との隙間を保持できるような支柱を設けてもよい。また、上記の説明では、換気用偏平ダクト７に傾斜方向ｘへ開放した他方の通風口５と桁行方向ｙへ開放した他方の通風口６とを各々形成したが、他方の通風口５又は他方の通風口６のいずれか一方を省略してもよい。例えば、他のルーバ１９を省略すると共に他方の通風口６を閉塞することにより、図６に示すように、換気用偏平ダクト７に他方の通風口５のみを形成してもよい。
【００１９】
この場合、底面部材１４にエンボシングを施す等して、図７に示すように、底面部材１４の一のルーバ１７よりも更に棟側寄りの部分に、上方へ突出する複数の突起２０を所定間隔毎に突出しておけば、通気性を損なうことなく雨水の逆流を確実に阻止できるという利点が得られる。即ち、一のルーバ１７は傾斜方向ｘへのみ通風を許容するので、屋根葺材４同士の隙間から吹き込む強風に煽られて軒先側から一方の通風路１３へ逆流しようとする雨水は、図８の仮想線で表すように、軒先側から棟側へ向かって一直線に上昇する。このため、逆流しようとする雨水は総て突起２０に衝突して左右に散らされて一方の通風路１３への上昇を阻止されるので、他方の通風口５と一方の通風路１３の間を空気のみが通過することになる。
【００２０】
また、底面部材１４又は上側部材１５は、合成樹脂からなる射出成型品であってもよい。更にまた、底面部材１４に、一のルーバ１７と他のルーバ１９とを一体に形成してもよい。この場合、底面部材１４の軒先側の縁部に、傾斜方向ｘへ延びる複数の凸条を桁行方向ｙに所定間隔を開けて突出することにより一のルーバ１７を構成し、底面部材１４の両側の縁部に、桁行方向ｙへ延びる複数の凸条を傾斜方向ｘに所定間隔を開けて突出することにより他のルーバ１９を構成するようにしてもよい。更に、底面部材１４の周縁付近に、換気用偏平ダクト７全体を野地板１に釘打ちする際に釘等を挿通する釘穴１４ａを形成してもよい。
【００２１】
【発明の効果】
請求項１記載の屋根の換気構造によれば、野地板に形成した貫通口に換気用偏平ダクトを接続しているので、小屋裏の軒先付近に滞留する湿気を帯びた空気を野地板の貫通口から換気用偏平ダクトを経て屋外へ排出することができる。しかも、換気用偏平ダクトは、貫通口に底面部材の棟側が接続されて軒先側が開放しているので、屋根葺材が破損したり或いは野地板から脱落することがあっても、雨水が換気用偏平ダクトの内部へ流れ込むことがなく、雨水が貫通口から小屋裏へ流入するのを確実に防止することができる。
【００２２】
請求項１記載の換気用偏平ダクトによれば、貫通口に接続する一方の通風口を所定間隔毎に複数の突起を形成した底面部材の棟側に形成し、該一方の通風口よりも軒先側に、野地板と屋根葺材との隙間に開放する他方の通風口を形成しているので、小屋裏の軒先付近に滞留する湿気を帯びた空気を、野地板と屋根葺材の間の隙間に排出し、更に屋根葺材同士の間の隙間を経て屋外へ排出することができる。しかも、他方の通風口を一方の通風口よりも軒先側に形成しているため、屋根葺材が破損したり或いは野地板から脱落することがあっても、雨水が換気用偏平ダクトの内部へ流れ込むことがなく、従って雨水が貫通口から小屋裏へ流入するのを確実に防止することができる。また、野地板に貫通口を形成するだけで既存の屋根に簡単に取り付けられるという利点がある。又、複数の突起を内部の底面部材に所定間隔毎に形成しているので、屋根葺材同士の隙間から吹き込む強風に煽られて軒先側から貫通口へ逆流しようとする雨水は突起に衝突して左右に散らされ、通風口と一方の通風口との間を空気のみが通過することになる。従って、通気性を損なうことなく雨水の逆流を確実に阻止できるという利点が得られる。
【００２３】
請求項２記載の換気用偏平ダクトによれば、複数枚の整流羽根によって野地板が傾斜する方向へのみ通風が許容されるので、屋根葺材の間の隙間から当該換気用偏平ダクト内へ吹き込んだ風は、貫通口を経て野地板が傾斜する方向に沿って真っ直ぐに小屋裏へ吹き込むことになる。特に、棟側を突合わせて合掌する一対の野地板に当該換気用偏平ダクトを各々取り付けた場合には、一方の野地板の貫通口から小屋裏へ吹き込んだ風は小屋裏内を野地板が傾斜する方向へ直進して他方の野地板の貫通口へ吹き抜けるため、小屋裏の通気性が向上し一層効率良く小屋裏を換気できるという利点がある。
【００２４】
請求項３記載の換気用偏平ダクトによれば、複数枚の整流羽根によって野地板の桁行方向へのみ通風が許容されるので、貫通口を経て略桁行方向に沿って真っ直ぐに小屋裏へ吹き込むことになる。特に、野地板に当該換気用偏平ダクトを野地板の桁行方向へ並べて複数箇所に各々取り付けた場合には、一の換気用偏平ダクトを経て小屋裏へ吹き込んだ風が小屋裏内を野地板の桁行方向へ直進して他の換気用偏平ダクトを経て屋外へ吹き抜けるため、小屋裏の通気性が向上し一層効率良く小屋裏を換気できるという利点がある。
【図面の簡単な説明】
【図１】  この発明の実施の換気用偏平ダクトを使用した屋根の換気構造の断面図。
【図２】  この発明の実施の形態に係る換気用ダクトの斜視図。
【図３】  この発明の実施の形態に係る屋根の換気構造の要部の断面図。
【図４】  この発明の実施の形態に係る換気用ダクトの平面図。
【図５】  この発明の実施の形態に係る換気用ダクトの要部の断面図。
【図６】  この発明の実施の形態に係る換気用ダクトの変形例の斜視図。
【図７】  この発明の実施の形態に係る換気用ダクトの変形例の要部の斜視図。
【図８】  この発明の実施の形態に係る換気用ダクトの変形例の要部の平面図。
【符号の説明】
１ 野地板
２ 小屋裏
３ 貫通口
４ 屋根葺材
５ 他方の通風口
６ 他方の通風口
７ 換気用偏平ダクト
１３ 一方の通風口
１７ 一のルーバ
１９ 他のルーバ
２０ 突起
【図１】
0003755096.tif 000002
【図２】
0003755096.tif 000003
【図３】
0003755096.tif 000004
【図４】
0003755096.tif 000005
【図５】
0003755096.tif 000006
【図６】
0003755096.tif 000007
【図７】
0003755096.tif 000008
【図８】
0003755096.tif 000009